(57)【要約】【課題】記録紙ロールを交換する際に、軽い操作で開閉カバーを開くことができるプリンタを提供すること。【解決手段】実施形態のプリンタは、筐体と、筐体カバーを備える。筐体カバーには、前記開口部に閉じた状態で前記中空部に位置するプラテンローラと、軸支された水平方向の回動軸を回動中心として回動する操作レバーと、前記回動軸側に当接面を有すると共に、前記操作レバーと一体に回動するカム体と、前記筐体カバーに取り付けられた水平方向に設置された係止部を備えている。筐体には、前記筐体カバーの閉塞時に前記プラテンローラに対向配置されるプリントヘッドと、前記筐体に設けられ、前記係止部に係合する切欠部と、前記当接面に対向配置された斜面部とを有する。斜面部は、前記操作レバーを引き上げることにより前記当接面を前記回動軸と反対側へ付勢して前記プラテンローラをヘッド側に移動させる第１斜面部と、前記操作レバーをさらに引き上げることにより前記当接面を上方へ付勢して、前記筐体カバーを上方へ回動させる第２斜面部を有する。【選択図】図４
2019104123.tif 000002
【特許請求の範囲】
【請求項１】
中空部及びこの中空部に連なる開口部がその上部に設けられた筐体と、
この筐体の一方側に設けられた水平方向の回動軸を回動中心として前記開口部を開閉自在に閉塞する筐体カバーと、
前記筐体カバーに設けられ、前記開口部を閉塞した状態で前記中空部に位置するプラテンローラと、
前記筐体カバーに軸支された水平方向の回転軸を回転中心として回転する操作レバーと、
前記筐体カバーに取り付けられ、前記回動軸側に当接面を有すると共に、前記操作レバーと一体に回動するカム体と、
前記筐体カバーに対し水平方向に設置された係止部と、
前記筐体に設けられ、前記筐体カバーの閉塞時に前記プラテンローラに対向配置されるプリントヘッドと、
前記筐体に設けられ、前記係止部に係合すると共に、前記回動軸側に延設されると共に上部に壁部を有する第１切欠、この第１切欠に対し前記回動軸と反対側に延設された第２切欠、及び、この第２切欠の上方に位置する第３切欠を有する切欠部と、
前記筐体に設けられ、前記当接面に対向配置された斜面部と、
を具備し、
前記斜面部は、前記操作レバーを引き上げることにより前記当接面を前記回動軸と反対側へ付勢して前記プラテンローラをヘッド側に移動させる第１斜面部と、
前記操作レバーをさらに引き上げることにより前記当接面を上方へ付勢して、前記筐体カバーを上方へ回動させる第２斜面部と、を有するプリンタ。
【請求項２】
前記プリントヘッドは、前記プラテンローラ側に付勢されている請求項１に記載のプリンタ。
【請求項３】
前記操作レバーは、前記当接面が前記第２斜面部から前記第１斜面部側に移動する方向に付勢されている請求項１に記載のプリンタ。
【請求項４】
前記第１斜面部と前記当接面が接触している位置において、前記係止部は前記第２切欠に位置している請求項１に記載のプリンタ。
【請求項５】
前記カム体の回転中心と前記当接面との距離は、前記回動軸の反対側から前記回動軸側にかけて漸次大きくなる請求項１に記載のプリンタ。
【発明の詳細な説明】
【技術分野】
【０００１】
本発明の実施形態は、プリンタに関する。
【背景技術】
【０００２】
コンビニエンスストアやレストラン等には、現金やカード類を使って決済するための決済装置（ＰＯＳ端末、電子式キャッシュレジスタ等）がある。決済装置は、レシートやカード利用控を発行するプリンタ（サーマルプリンタ・インクジェットプリンタ等）を有している。プリンタは、記録紙ロールを内蔵しており、発行する都度、必要分だけ記録紙を繰り出す構造を有している。プリンタは、その内部にプリントヘッドと、これに対向するプラテンを有している。プリンタは、これらプリントヘッドとプラテンとの間に記録紙を通過させ、プリントヘッドによって記録紙上に印刷を行う構造を有している。なお、記録紙ロールが無くなると、プリンタの上部にある筐体カバーを開き、古い記録紙ロールを取り出して、新しい記録紙ロールを挿入する必要がある。
【０００３】
このようなプリンタでは、筐体カバーを開くための動作としてワンアクション方式、すなわち、レバー等を１／４回転ほどさせることで、その回転方向に沿って筐体カバーが円弧状の軌跡に沿って開く構造であった。しかしながら、筐体カバーを円弧状に開こうとすると、筐体カバーと筐体、及び、プラテンと筐体とが干渉する虞があった。このため、筐体と筐体カバーとの隙間の寸法を大きくする等の工夫が必要であった。また、ワンアクション方式であると、レバー自体に筐体カバーが不用意に開かないようにするために強力な弾性力（バネ等）で付勢させる必要が有り、レバー操作に大きな力が必要となる。
【０００４】
このため、記録紙ロールを交換する際に、軽い操作で開閉カバーを開くことができるプリンタが望まれていた。
【先行技術文献】
【特許文献】
【０００５】
【特許文献１】特開２０１９―２０２４２４号公報
【発明の概要】
【発明が解決しようとする課題】
【０００６】
本発明が解決しようとする課題は、記録紙ロールを交換する際に、簡単な操作で開閉カバーを開くことができるプリンタを提供することである。
【課題を解決するための手段】
【０００７】
実施形態のプリンタは、筐体と、筐体カバーを備える。筐体は、中空部及びこの中空部に連なる開口部がその上部に設けられている。筐体カバーには、前記開口部に閉じた状態で前記中空部に位置するプラテンローラと、軸支された水平方向の回転軸を回転中心として回転する操作レバーと、前記回動軸側に当接面を有すると共に、前記操作レバーと一体に回動するカム体と、前記筐体カバーに取り付けられた水平方向に設置された係止部を備えている。筐体には、前記筐体カバーの閉塞時に前記プラテンローラに対向配置されるプリントヘッドと、前記筐体に設けられ、前記係止部に係合する切欠部と、前記当接面に対向配置された斜面部とを有する。切欠部は、前記回動軸側に延設されると共に上部に壁部を有する第１切欠、この第１切欠に対し前記回動軸と反対側に延設された第２切欠、及び、この第２切欠の上方に位置する第３切欠を有する。前記斜面部は、前記操作レバーを引き上げることにより前記当接面を前記回動軸と反対側へ付勢して前記プラテンローラをヘッド側に移動させる第１斜面部と、前記操作レバーをさらに引き上げることにより前記当接面を上方へ付勢して、前記筐体カバーを上方へ回動させる第２斜面部を有する。
【図面の簡単な説明】
【０００８】
【図１】図１は、実施形態にかかるプリンタの構成を示す縦断面図である。
【図２】図２は、プリンタの要部を示す平面図である。
【図３】図３は、プリンタの筐体カバーの閉状態を示す縦断面図である。
【図４】図４は、プリンタの筐体カバーの開放操作の第１段階を示す縦断面図である。
【図５】図５は、プリンタの筐体カバーの開放操作の第２段階を示す縦断面図である。
【発明を実施するための形態】
【０００９】
以下、本実施形態について、図面を参照しながら説明する。  
図１は、本実施形態にかかる決済装置に接続されるプリンタ１０を示す縦断面図、図２は、プリンタ１０の要部を示す平面図である。図３は、プリンタ１０の筐体カバー１００の閉状態を示す縦断面図、図４は、筐体カバー１００の開放操作の第１段階を示す縦断面図、図５は、筐体カバー１００の開放操作の第２段階を示す縦断面図である。なお、本実施形態において、図１における左側（回動軸側）を奥側、図１における右側（回動軸と反対側）を手前側として説明する場合がある。また、図２においては、図中上方が奥側、図中下方が手前側に対応する。
【００１０】
プリンタ１０は、各機構を収容する筐体２０と、筐体カバー１００とを備えている。筐体カバー１００は、筐体２０に対して後述する回動軸２５及び軸受部１１１を介して開閉自在に設けられている。
【００１１】
図１に示すように、筐体２０は、樹脂材製のベース部２１を備えている。ベース部２１上には記録紙搬送機構２２ａ等の各種機器を収納する本体部２２が設けられ、中空部２３が形成されている。中空部２３は図中上方に開放されており、記録紙ロールＰを収容する。また、本体部２２の上部には、中空部２３と連通する開口部２４が形成されている。開口部２４の奥側には水平方向の軸を有する回動軸２５が配置されている。回動軸２５には後述する軸受部１１１が回動自在に取り付けられている。図１及び図２に示すように、開口部２４は、筐体カバー１００で開閉自在に閉塞されている。図２中Ｓは筐体２０の開口部２４と筐体カバー１００の先端との隙間であり、最低１〜２ｍｍ程度の寸法で形成されている。
【００１２】
筐体２０の手前側には、中空部２３に面して、後述するプラテンローラ１１５に対向配置されるプリントヘッド３０が配置されている。プリントヘッド３０は奥側にバネ等の弾性体により付勢されている。
【００１３】
図３〜図５に示すように、中空部２３に面して、鉛直方向に立設されたラッチパネル４０が設けられている。ラッチパネル４０には、上方に開放すると共に、後述する係止バー１４０に係合する切欠部４１が形成されている。切欠部４１は、奥側に延設されると共に上部に壁部を有する第１切欠４１ａ、この第１切欠４１ａに対し手前側に延設された第２切欠４１ｂ、及び、この第２切欠４１ｂの上方に位置する第３切欠４１ｃを有する。
【００１４】
筐体２０の中空部２３には、開口部２４に向けた斜面を有する斜面部５０を備えている。斜面部５０は、後述するカム体１３０の当接面１３２に対向配置されている。斜面部５０は、奥側から第１斜面部５１、この第１斜面部５１に連続的に形成された第２斜面部５２を有している。第１斜面部５１は、後述する操作レバー１２０を引き上げることにより当接面１３２を奥側へ付勢してプラテンローラ１１５をプリントヘッド３０側に移動させるように形成されている。第２斜面部５２は、ほぼ水平に形成されており、操作レバー１２０をさらに引き上げることにより当接面１３２を上方へ付勢して、筐体カバー１００を上方へ回動させるように形成されている。
【００１５】
筐体カバー１００は、筐体２０の回動軸２５に軸支された軸受部１１１を回動中心として、開口部２４を開閉自在に蓋する板状のカバー本体１１０を有している。カバー本体１１０の手前側には開口部１１２が設けられている。軸受部１１１の内径は回動軸２５の外径より１〜２ｍｍ程度大きく形成されており、回動軸２５に対し、軸受部１１１が水平方向に移動可能となっている。筐体カバー１００の手前側には、開口部２４を閉じた状態で中空部２３に位置するプラテンローラ１１５と、図２に示すようにカバー本体１１０に軸支された水平方向の回転軸Ｑを回転中心として回転する操作レバー１２０を有している。カバー本体１１０の下方には、奥側に当接面１３２を有すると共に、操作レバー１２０と一体に回転するカム体１３０を有している。筐体カバー１００のカム体１３０の下方には、水平方向に設置された係止バー（係止部）１４０を有している。
【００１６】
カム体１３０は、回転軸Ｑ周りに回転自在に配置されたカム本体１３１を備えている。カム本体１３１は、下面には当接面１３２が形成されている。当接面１３２は、回転軸Ｑからの距離が、図１中における手前側から奥側にかけて漸次大きくなるように形成されている。
【００１７】
操作レバー１２０は、当接面１３２が第２斜面部５２側から第１斜面部５１側に移動する方向にバネ１３３により付勢されている。したがって、操作レバー１２０に力が加わっていない場合は、カム体１３０は図１に示す位置となっている。
【００１８】
ここで、カム体１３０と係止バー１４０との位置関係について説明する。図３に示すように、操作レバー１２０に対し何ら操作が無く、カム体１３０に力が加わっていない場合には、当接面１３２と斜面部５０とは接触せず、係止バー１４０は第１切欠４１ａに位置している。第１切欠４１ａには上側に壁部が設けられているため、不用意にカバー本体１１０を開く方向に力が加わっても、係止バー１４０が上方に抜け出すことはない。カム体１３０に、操作力Ｆが加わり、当接面１３２と第１斜面部５１が当接すると、係止バー１４０は第２切欠４１ｂに位置する。カム体１３０に、操作力Ｆが加わり、当接面１３２と第１斜面部５１が当接すると、係止バー１４０は第３切欠４１ｃに位置する。
【００１９】
このように構成されたプリンタ１０においては、次のようにして筐体カバー１００を開閉する。筐体カバー１００を開く動作は、いわゆるツーアクションである。図３は、筐体カバ−１００が閉じた状態を示している。操作レバー１２０に操作力Ｆが加わっていないため、カム体１３０は図３に示す状態で弱いバネ力で保持されている。この時、カム体１３０と斜面部５０は離間し、当接面１３２と斜面部５０とは接触しない。係止バー１４０は第１切欠４１ａに位置しており、筐体カバー１００が開くことはない。
【００２０】
次に図４に示すように、操作レバー１２０に操作力Ｆを加える（１アクション目）と、カム体１３０が図４中Ｒ方向に回転し、徐々に当接面１３２が第１斜面部５１に近づき、当接する。当接面１３２が第１斜面部５１に押圧されると、カバー本体１１０が手前側に付勢され、１〜２ｍｍ移動する。この時、プラテンローラ１１５がプリントヘッド３０に押圧される。プリントヘッド３０は弾性的に保持されているため、僅かに手前側に移動する。係止バー１４０は上方に壁部が無い第２切欠４１ｂへ移動し、上方への移動が可能となる。なお、この時に必要となる操作力Ｆに抗する力は、プリントヘッド３０を付勢する弾性力のみであるため、非常に弱く、大きな力を必要としない。
【００２１】
次に図５に示すように、操作レバー１２０に操作力Ｆを加える（２アクション目）と、カム体１３０が図５中Ｒ方向にさらに回転し、徐々に当接面１３２が第１斜面部５１へ移動する。当接面１３２は回転中心Ｑから徐々に距離が大きくなるように形成されているため、第２斜面部５２に押圧されると、カバー本体１１０は上方に付勢され、開く方向に移動する。この時、プラテンローラ１１５はプリントヘッド３０から離間する。係止バー１４０は第２切欠４１ｂから第３切欠４１ｃを経由して、上方へ抜け出すこととなる。なお、この時に必要となる操作力Ｆに抗する力は、筐体カバー１００の自重のみであり、大きな力を必要としない。
【００２２】
このようにして、係止バー１４０とラッチパネル４０との係合が解除され、筐体カバー１００の開閉が自在となる。これにより記録紙ロールＰの交換が可能となる。なお、操作レバー１２０への操作力Ｆが無くなるため、操作レバー１２０はバネ力によって元の回転位置に戻る。
【００２３】
一方、筐体カバー１００を閉じる際は、カバー本体１１０の上面を押圧すると、係止バー１４０がラッチパネル４０に近づき、第３切欠４１ｃを経由して第２切欠４１ｂに入る。係止バー１４０が第２切欠４１ｂに入ると、プラテンローラ１１５がプリントヘッド３０に接触し、プリントヘッド３０に加わっている弾性力によってプラテンローラ１１５が奥側に付勢される。これにより、カバー本体１１０も奥側に移動し、係止バー１４０が第１切欠４１ａに入り、最初の状態に戻る（図３参照）。
【００２４】
上述したように、本実施の形態に係るプリンタ１０によれば、記録紙Ｐを交換する際に、操作レバー１２０を操作するために必要な操作力は、プリントヘッド３０を付勢する弾性力（１アクション目）、及び、筐体カバー１００の自重（２アクション目）であることから非常に軽く、しかも１アクション目と２アクション目の操作力Ｆは同時に加わらない。したがって、操作レバー１２０をツーアクションで引き上げるだけで、係止バー１４０とラッチパネル４０との係合を解除し、筐体カバー１００を開くことが可能となる。
【００２５】
プリントヘッド３０は、プラテンローラ１１５側に付勢されており、筐体カバー１００が手前側に移動してもプリントヘッド３０に過大な荷重はかからない。また、操作レバー１２０は、当接面１３２が第２斜面部５２から第１斜面部５１側に移動する方向に付勢されており、自動的に元の位置に復帰する。さらに、第１斜面部５１と当接面１３２が接触している位置において、係止バー１４０は第２切欠４１ｂに位置しているため、係止バー１４０が上方へ抜け出すことが可能となる。さらにカム体１３０の回転中心Ｑと当接面１３２との距離は、回動軸２５の反対側から回動軸２５側にかけて漸次大きくなるように構成されているため、操作レバー１２０の操作を進めることで、当接面１３２と第１斜面部５１との位置をより近づけることができ、カム本体１３１に作用する力を徐々に増加させることができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１０…プリンタ、２０…筐体、２１…ベース部、２２…本体部、２２ａ…記録紙搬送機構、２３…中空部、２４…開口部、２５…回動軸、３０…プリントヘッド、４０…ラッチパネル、４１…切欠部、４１ａ…第１切欠、４１ｂ…第２切欠、４１ｃ…第３切欠、５０…斜面部、５１…第１斜面部、５２…第２斜面部、１００…筐体カバー、１１０…カバー本体、１１１…軸受部、１１２…開口部、１１５…プラテンローラ、１２０…操作レバー、１３０…カム体、１３１…カム本体、１３２…当接面、１３３…バネ、１４０…係止バー（係止部）。
【図１】
2019104123.tif 000003
【図２】
2019104123.tif 000004
【図３】
2019104123.tif 000005
【図４】
2019104123.tif 000006
【図５】
2019104123.tif 000007